(57)【要約】  【課題】監視ポイントの複数化により違法コピーの抑止効果がある、ネットワークにおける違法コピーコンテンツの発見方法を実現すること。  【解決手段】コンテンツ保護エージェントを用いたネットワークにおける違法コピーコンテンツの発見方法であって、  コンテンツホルダーから依頼を受けたセキュリティマネージャは、コンテンツ探索機能，コンテンツ保護情報計算機能およびコンテンツ保護情報登録機能を持ったコンテンツ保護エージェントを、前記ネットワークに存在する、前記コンテンツ保護エージェントの他に、コンテンツデータベースおよびコンテンツサービス機能を有する複数のコンテンツサーバに配布することで、ネットワークにおける配信セッションの監視形態への発展性を持たせたものである。【選択図】  図２
2005332273.tif 000002
【特許請求の範囲】
【請求項１】
コンテンツ保護エージェントを用いたネットワークにおける違法コピーコンテンツの発見方法であって、
コンテンツホルダーから依頼を受けたセキュリティマネージャは、コンテンツ探索機能，コンテンツ保護情報計算機能およびコンテンツ保護情報登録機能を持ったコンテンツ保護エージェントを、前記ネットワークに存在する、前記コンテンツ保護エージェントの他に、コンテンツデータベースおよびコンテンツサービス機能を有する複数のコンテンツサーバに配布し、
前記コンテンツサーバは、前記コンテンツ保護情報計算機能により、前記コンテンツデータベースに記憶し、前記コンテンツサービス機能により視聴者に配信する、前記セキュリティマネージャが前記コンテンツホルダーから保護依頼を受けたコンテンツの保護情報（コンテンツ保護情報Ａ）を計算し、該コンテンツ保護情報Ａにより前記視聴者へ配信する前記コンテンツの保護ライセンス管理を行い、
前記セキュリティマネージャの管理下にある、コンテンツ保護情報管理機能、コンテンツ保護情報登録データベース、コンテンツ探索制御機能、コンテンツ保護情報監視機能および収集コンテンツ情報データベースを有する監視サーバ中の、前記コンテンツ保護情報管理機能は、前記コンテンツ保護エージェントが計算し、報告する、前記コンテンツ保護エージェントの配布を受けた前記コンテンツサーバが前記視聴者に配信する前記コンテンツに対応した前記コンテンツ保護エージェントと前記セキュリティマネージャの間で流通する前記保護情報を前記コンテンツ情報登録データベースに記憶し、
前記コンテンツ探索制御機能は、前記コンテンツ保護エージェントの配布されていない、コンテンツサーバが前記ネットワーク内に流通させるコンテンツホルダーが認可していない違法コピーの疑いのあるコンテンツの収集を、複数の前記コンテンツサーバに配布された前記コンテンツ保護エージェントに指示し、該コンテンツ保護エージェントが計算し、報告する、収集した前記コンテンツに関するコンテンツ保護情報（コンテンツ保護情報Ｂ）を前記収集コンテンツ情報データベースに記憶し、
また、前記監視サーバは、前記視聴者からの通知により、前記違法コピーコンテンツを配信する疑いのあるコンテンツサーバの重点監視を行い、違法コピーコンテンツ探索効率を向上させ、
前記コンテンツ保護情報監視機能は、収集した前記コンテンツ保護情報Ｂを登録した前記コンテンツ保護情報Ａと定期的に比較し、
合致する情報を持つ、収集した違法コピーコンテンツ保護情報Ｂを、前記セキュリティマネージャに報告し、
前記セキュリティマネージャは、前記違法コピーコンテンツサーバに警告を発すると共に前記コンテンツを違法コピーされた前記コンテンツホルダーに前記コンテンツの違法コピーを通報し、
前記コンテンツホルダーは、コンテンツ量に応じて前記コンテンツ保護エージェントの利用料を前記セキュリティマネージャに支払い、その対価として前記視聴者による違法コピーの利用による損失を最小限に維持し、前記コンテンツ視聴料の確実な回収を行い、
前記セキュリティマネージャは、前記視聴者の通知に対してインセンティブとして報奨を支払う、
ことを特徴とする違法コピーコンテンツの発見方法。
【請求項２】
前記コンテンツ保護エージェント中の前記コンテンツ保護情報の計算機能は、ファイル種別情報，メタデータ，チェックサム，ＣＲＣ，電子透かし情報さらには、前記コンテンツの内容の任意の一部、および将来的に利用可能な代替手法を用いて、セキュリティマネージャ以外の第三者に対し隠蔽する手法で組み合わせ、前記ネットワークに流通する前記コンテンツの識別を可能にする特徴情報を計算することを特徴とする、請求項１に記載の違法コピーコンテンツの発見方法。
【請求項３】
前記コンテンツ保護エージェントは、前記監視サーバから割り当てられたＵＲＬにより、前記コンテンツ保護エージェントを配布されていないコンテンツサーバが前記ネットワーク内に流通させる前記コンテンツの収集，前記コンテンツ保護情報Ｂの計算を行うことを特徴とする、請求項１または２に記載の違法コピーコンテンツの発見方法。
【請求項４】
前記コンテンツ保護情報Ｂの収集に際し、前記コンテンツホルダーが所有する前記コンテンツサーバ上に配置した前記コンテンツ保護エージェントを用い、負荷分散を図るとともに、情報収集元を前記違法コピーの配布者から特定しにくくすることを特徴とする、請求項１〜３のいずれか１項に記載の違法コピーコンテンツの発見方法。
【請求項５】
請求項１〜４のいずれか１項に記載の違法コピーコンテンツの発見方法をコンピュータ制御により実行させるプログラム。
【請求項６】
請求項５に記載のプログラムを記録したコンピュータにより読み取り可能な記録媒体。
【発明の詳細な説明】
【技術分野】
【０００１】
本発明は、ネットワークにおける違法コピーコンテンツの発見方法に関する、より詳細には、違法コピーの可能性のあるコンテンツを複数の監視点から収集し、非公開の予めプログラムされた手法によりコンテンツから計算する特徴情報を用いてコンテンツの違法コピーの有無を検証する、コンテンツ保護エージェントを用いたネットワークにおける違法コピーコンテンツの発見方法に関する。
【背景技術】
【０００２】
従来、コンテンツの違法コピーの監視はコンテンツホルダー自身が行うため、違法コピーの広域監視が困難であり、また、固定的監視点からは、アクセスフィルタによる違法コピーの監視回避が容易であるという問題があった。
また、ディジタル権利管理ＤＲＭ（Digital Rights Manager）等の従来の違法コピー検出技術は、視聴の権利を有するコンテンツ利用者の認証には効果があるが、違法コピーコンテンツの配布禁止を積極的に推進できないという問題があった。
【発明の開示】
【発明が解決しようとする課題】
【０００３】
本発明は、従来の違法コピーの発見方法における上記の問題を解決し、
（１）監視ポイントの複数化により監視アクセスの特定が困難になり、同じく違法コピーの抑止効果がある
（２）違法コピーの同定方法を隠蔽することにより発見回避が困難になり、第三者の運用により違法コピーコンテンツの網羅的監視が容易になる
（３）コンテンツ自体の提示回避によりコンテンツ漏洩の心配がない
（４）コンテンツ情報の比較により違法コピーの発見作業が効率的に行える
（５）ネットワークにおける配信セッション監視の形態への発展性がある
等の大きな利点を有する、ネットワークにおける違法コピーコンテンツの発見方法を実現することを目的とする。
【課題を解決するための手段】
【０００４】
上記目的を達成するために、本発明の第１の態様は、コンテンツ保護エージェントを用いたネットワークにおける違法コピーコンテンツの発見方法であって、コンテンツホルダーから依頼を受けたセキュリティマネージャは、コンテンツ探索機能，コンテンツ保護情報計算機能およびコンテンツ保護情報登録機能を持ったコンテンツ保護エージェントを、前記ネットワークに存在する、前記コンテンツ保護エージェントの他に、コンテンツデータベースおよびコンテンツサービス機能を有する複数のコンテンツサーバに配布し、前記コンテンツサーバは、前記コンテンツ保護情報計算機能により、前記コンテンツデータベースに記憶し、前記コンテンツサービス機能により視聴者に配信する、前記セキュリティマネージャが前記コンテンツホルダーから保護依頼を受けたコンテンツの保護情報（コンテンツ保護情報Ａ）を計算し、該コンテンツ保護情報Ａにより前記視聴者へ配信する前記コンテンツの保護ライセンス管理を行い、  前記セキュリティマネージャの管理下にある、コンテンツ保護情報管理機能、コンテンツ保護情報登録データベース、コンテンツ探索制御機能、コンテンツ保護情報監視機能および収集コンテンツ情報データベースを有する監視サーバ中の、前記コンテンツ保護情報管理機能は、前記コンテンツ保護エージェントが計算し、報告する、前記コンテンツ保護エージェントの配布を受けた前記コンテンツサーバが前記視聴者に配信する前記コンテンツに対応した前記コンテンツ保護エージェントと前記セキュリティマネージャの間で流通する前記保護情報を前記コンテンツ情報登録データベースに記憶し、  前記コンテンツ探索制御機能は、前記コンテンツ保護エージェントの配布されていない、コンテンツサーバが前記ネットワーク内に流通させるコンテンツホルダーが認可していない違法コピーの疑いのあるコンテンツの収集を、複数の前記コンテンツサーバに配布された前記コンテンツ保護エージェントに指示し、該コンテンツ保護エージェントが計算し、報告する、収集した前記コンテンツに関するコンテンツ保護情報（コンテンツ保護情報Ｂ）を前記収集コンテンツ情報データベースに記憶し、また、前記監視サーバは、前記視聴者からの通知により、前記違法コピーコンテンツを配信する疑いのあるコンテンツサーバの重点監視を行い、違法コピーコンテンツ探索効率を向上させ、前記コンテンツ保護情報監視機能は、収集した前記コンテンツ保護情報Ｂを登録した前記コンテンツ保護情報Ａと定期的に比較し、合致する情報を持つ、収集した違法コピーコンテンツ保護情報Ｂを、前記セキュリティマネージャに報告し、前記セキュリティマネージャは、前記違法コピーコンテンツサーバに警告を発すると共に前記コンテンツを違法コピーされた前記コンテンツホルダーに前記コンテンツの違法コピーを通報し、前記コンテンツホルダーは、コンテンツ量に応じて前記コンテンツ保護エージェントの利用料を前記セキュリティマネージャに支払い、その対価として前記視聴者による違法コピーの利用による損失を最小限に維持し、前記コンテンツ視聴料の確実な回収を行い、前記セキュリティマネージャは、前記視聴者の通知に対してインセンティブとして報奨を支払うことを特徴とする。
【０００５】
本発明の第２の態様は、前記コンテンツ保護エージェントが、ファイル種別情報，メタデータ，チェックサム，ＣＲＣ，電子透かし情報、前記コンテンツの内容の任意の一部および将来的に利用可能な代替手法を用いて、前記セキュリティマネージャ以外の第三者に隠蔽する手法で組み合わせ、前記ネットワークに流通する前記コンテンツを識別可能にする特徴情報の計算機能を有することを特徴とする。
【０００６】
本発明の第３の態様は、前記コンテンツ保護エージェントが、前記監視サーバから割り当てられたＵＲＬにより、前記コンテンツ保護エージェントを配布されていないコンテンツサーバが前記ネットワーク内に流通させる前記コンテンツ情報の収集、前記コンテンツ情報の計算を行うことを特徴とする。
【０００７】
本発明の第４の態様は、前記コンテンツ保護情報の収集に際し、前記コンテンツホルダーが所有する前記コンテンツサーバ上に前記コンテンツ保護エージェントを配置し、負荷分散を図るとともに、情報収集元を前記違法コピーの配布者から特定しにくくすることを特徴とする。
【０００８】
また、本発明に係る違法コピーコンテンツの発見方法は、これを、コンピュータのプログラム制御により実行させることが可能であり、本発明は、そのためのコンピュータ制御用プログラム、並びにこのプログラムを記録した記録媒体を提供するものとしても特徴付けられる。
【発明の効果】
【０００９】
本発明によれば、以下に説明するように、多くの効果を得られるものである。
すなわち、本発明によるコンテンツ保護エージェントを用いたネットワーク上の違法コピーコンテンツの発見方法は、従来の方法の欠点であった、
（１’）違法コピーの広域監視が困難である
（２’）違法コピーの監視の回避が容易である
（３’）違法コピーコンテンツの配布禁止を積極的に推進できない
といった問題を、コンテンツホルダーから独立し、かつ複数の監視点および隠蔽された、特徴情報と呼ぶコンテンツ情報の計算手法の導入により解決し、コンテンツの、
（１）監視アクセスの特定が困難である
（２）違法コピーの抑止効果がある
（３）違法コピー発見回避が困難である
またさらに、
（１）違法コピーコンテンツの網羅的監視が容易である
（２）コンテンツ漏洩の心配が無い
（３）違法コピー発見作業が効率的である
等の利点を有する、コンテンツ保護エージェントを用いたネットワークにおける違法コピーコンテンツの発見方法を実現できるという効果を有する。
【発明を実施するための最良の形態】
【００１０】
以下に、添付の図面を用いて本発明の構成と動作を説明する。以下の説明は、本発明の理解を助けるためのものであって、本発明の請求範囲を制限するものではない。
【００１１】
図１は、本発明の一実施形態に係る違法コピーコンテンツの発見方法を実視するためのコンテンツ保護エージェントを用いた、ネットワークにおける違法コピーコンテンツ発見システムの構成を説明する図であって、１はコンテンツホルダー、２はセキュリティマネージャ、３はコンテンツ探索機能、４はコンテンツ情報計算機能、５はコンテンツ保護情報登録機能、６はコンテンツ保護エージェント、７はネットワーク、８はコンテンツサーバ、９はコンテンツデータベース、１０はコンテンツサービス機能、１１は視聴者、１２は監視サーバ、１３はコンテンツ保護情報管理機能、１４はコンテンツ保護情報登録データベース、１５はコンテンツ探索制御機能、１６はコンテンツ保護情報監視機能、１７は収集コンテンツ情報データベース、１８はコンテンツ保護エージェントを配布されていないコンテンツサーバである。
【００１２】
図１に示すネットワーク上の違法コピーコンテンツ発見システムでは、
コンテンツホルダー１は、セキュリティマネージャ２と連絡が取れ、
セキュリティマネージャ２は、監視サーバ１２のコンテンツ探索制御機能１５と接続され、コンテンツ探索制御機能１５は、監視サーバ１２の収集コンテンツ情報データベース１７およびコンテンツサーバ８のコンテンツ保護エージェント６が有するコンテンツ探索機能３に接続されている。
【００１３】
また、コンテンツ探索機能３はネットワーク７を介してコンテンツ保護エージェント５を配布されていないコンテンツサーバ１８にアクセスでき、
コンテンツサーバ８のコンテンツ保護エージェント６が有するコンテンツ情報計算機能４は、同じくコンテンツ保護エージェント６が有するコンテンツ探索機能３およびコンテンツ保護情報登録機能５に接続され、コンテンツ探索機能３が収集する、コンテンツ保護エージェントを配布していないコンテンツサーバ１８がネットワーク７内に流通させるコンテンツの情報、およびコンテンツサーバ８のコンテンツデータベース９に記憶し、コンテンツサービス機能１０により視聴者１１に配信する、セキュリティマネージャ２がコンテンツホルダー１から保護依頼を受けたコンテンツの保護情報の計算を行う機能を有するものである。
【００１４】
また、コンテンツ保護情報登録機能５は、監視サーバ１２のコンテンツ保護情報管理機能１３に接続され、コンテンツ情報計算機能４が計算した保護情報をコンテンツ保護情報登録データベース１４に記憶し、保護情報による視聴者１１へのコンテンツのライセンス管理を行い、
コンテンツ探索機能３は、コンテンツ情報計算機能４が計算したコンテンツサーバ１８が流通させるコンテンツ情報を、監視サーバ１２のコンテンツ探索制御機能１５を介して監視サーバ１２の収集コンテンツ情報データベース１７に記憶する機能を有するものである。
【００１５】
コンテンツ保護情報監視機能１６は、コンテンツ保護情報登録データベース１４、収集コンテンツ情報データベース１７およびセキュリティマネージャ２に接続され、コンテンツ保護情報登録データベース１４が記憶する保護情報と収集コンテンツ情報データベース１７が記憶するコンテンツサーバ１８が流通させるコンテンツ情報との定期的比較によるコンテンツサーバ１８が流通させる違法コピーコンテンツの発見を行い、発見した違法コピーコンテンツを流通させるコンテンツサーバ１８をセキュリティマネージャ２に通知する機能を有するものである。
【００１６】
セキュリティマネージャ２は、これに基づいて、コンテンツサーバ１８に警告を発すると共に、コンテンツホルダー１に違法コピーされたコンテンツ情報を通報する機能を有するものである。
【００１７】
図２は、本発明によるコンテンツ保護エージェントを用いたネットワークにおける違法コピーコンテンツの発見方法の動作を説明する図であって、Ｓ１〜Ｓ９は本方法の取る動作のステップである。Ｓ１〜Ｓ９の詳細を、以下に示す。
【００１８】
Ｓ１：コンテンツホルダー１は、セキュリティマネージャ２にコンテンツの保護を依頼する。
Ｓ２：セキュリティマネージャ２は、コンテンツ探索機能３、コンテンツ保護情報計算機能４およびコンテンツ保護情報登録機能５を持ったコンテンツ保護エージェント６をネットワーク７に存在する複数のコンテンツサーバ８に配布する。
【００１９】
セキュリティマネージャ２の管理下にある監視サーバ１１のコンテンツ保護情報管理機能９は、
Ｓ３：コンテンツサーバ８におけるコンテンツ保護エージェント６のコンテンツ保護情報計算機能４は、コンテンツデータベース９に記憶し、コンテンツサービス機能１０により視聴者１１に配信する、セキュリティマネージャ２がコンテンツホルダー１から保護依頼を受けたコンテンツの保護情報を計算し、コンテンツ保護情報登録機能５は保護情報によりコンテンツの視聴者１１へのライセンス管理を行う。
【００２０】
セキュリティマネージャ２の管理下にある監視サーバ１２内の視聴者１１へのコンテンツ保護情報管理機能１３は、
Ｓ４：コンテンツ保護エージェント６のコンテンツ保護情報計算機能４が計算し、報告する、コンテンツ保護エージェント６の配布を受けたコンテンツサーバ８が、視聴者１１に配信するコンテンツの保護情報をコンテンツ保護情報データベース１４に記憶し、監視サーバ１２のコンテンツ探索機能１５は、視聴者１１の通知する、違法コピーコンテンツを配信する疑いのあるコンテンツサーバ１８を含めて、
Ｓ５：セキュリティマネージャ２がコンテンツ保護エージェント６を配布していないコンテンツサーバ１８がネットワーク７内に流通させるコンテンツの重点的収集とコンテンツ情報の計算を、複数のコンテンツサーバ８に配布されたコンテンツ保護エージェント６にコンテンツサーバ１８のURLにより指示し、違法コピーコンテンツ探索の効率を向上させる。
【００２１】
Ｓ６：コンテンツ保護エージェント６が、監視サーバ１２の割り当てるＵＲＬにより収集、計算し、報告するコンテンツに関する情報を収集コンテンツ情報データベース１７に記憶し、
監視サーバ１２のコンテンツ保護情報監視機能１６は、
Ｓ７：収集コンテンツ情報データベース１７に記憶する収集したコンテンツ情報を、コンテンツ保護情報登録データベースに記憶する、登録したコンテンツ保護情報と定期的に比較し、
Ｓ８：合致する情報を持つ違法コピーコンテンツのコンテンツ情報を、セキュリティマネージャ２を介してコンテンツホルダー１に報告し、
Ｓ９：セキュリティマネージャ２は、視聴者１１の通知に対してインセンティブとして報奨を支払う。
【００２２】
近年、インターネットなどの発展によりネットワークを介して情報の配布が容易に行えるようになった。このような状況に伴い、違法にコピーされたコンテンツのやりとりも盛んになっていると考えられる。
【００２３】
上記のように、本発明によるコンテンツ保護エージェントを用いたネットワークにおける違法コピーコンテンツの発見方法は、このような行為を可能な限り未然に防止するものであり、さらに発達したネットワークを利用して、ネットワークにおける配信セッションの監視形態への発展性を有するものである。
【００２４】
なお、上記実施形態は、本発明の一例を示したものであり、本発明はこれに限定されるものではなく、本発明の趣旨を変更しない範囲内で適宜の変更・改良を行ってもよいことはいうまでもない。
【図面の簡単な説明】
【００２５】
【図１】本発明によるコンテンツ保護エージェントを用いたネットワークにおける違法コピーコンテンツの発見方法の構成を説明する図である。
【図２】本発明によるコンテンツ保護エージェントを用いたネットワークにおける違法コピーコンテンツの発見方法の動作を説明する図である。
【符号の説明】
【００２６】
１  コンテンツホルダー
２  セキュリティマネージャ
３  コンテンツ探索機能
４  コンテンツ保護情報計算機能
５  コンテンツ保護情報登録機能
６  コンテンツ保護エージェント
７  ネットワーク
８  コンテンツサーバ
９  コンテンツデータベース
１０  コンテンツサービス機能
１１  視聴者
１２  監視サーバ
１３  コンテンツ保護情報管理機能
１４  コンテンツ情報登録データベース
１５  コンテンツ探索制御機能
１６  コンテンツ保護情報監視機能
１７  収集コンテンツ情報データベース
１８  コンテンツ保護エージェントを配布されていないコンテンツサーバ
Ｓ１〜Ｓ９  動作ステップ
【図１】
2005332273.tif 000003
【図２】
2005332273.tif 000004